(57)【要約】【課題】従来の構成のパラレルフロー熱交換器においては、ルーバ前縁で霜が成長し、ルーバのないフィンに比べて急速な着霜の進行と暖房性能の低下を招くという問題が存在した。【解決手段】パラレルフロー型のヒートポンプ用室外熱交換器において、コルゲートフィン２の扁平チューブ１との接合部に、貫通穴を設ける。【選択図】  図１
2005024187.tif 000002
【特許請求の範囲】
【請求項１】
平行に配された複数の扁平チューブとコルゲートフィンとが通風直角方向に交互に積層されてなるパラレルフロー型のヒートポンプ用室外熱交換器において、前記コルゲートフィンの扁平チューブとの接合部に、貫通穴を設けたことを特徴とするヒートポンプ用室外熱交換器。
【請求項２】
貫通穴の形状を、前記コルゲートフィンの扁平チューブとの接合部を直線部とする略半円形状としたことを特徴とする請求項１に記載のヒートポンプ用室外熱交換器。
【請求項３】
前記コルゲートフィンの波型の谷線と稜線を熱交換器奥行き方向に、熱交換器奥行き方向中央部を底とする谷型形状とし、その谷底部分でかつ前記コルゲートフィンの扁平チューブとの接合部に、貫通穴を設けたことを特徴とする請求項１に記載のヒートポンプ用室外熱交換器。
【請求項４】
前記コルゲートフィンにルーバを設けないことを特徴とする請求項１に記載のヒートポンプ用室外熱交換器。
【請求項５】
前記コルゲートフィン上に、フィン上の各場所から貫通穴に向かって伸びる誘導溝を設けたことを特徴とする請求項４に記載のヒートポンプ用室外熱交換器。
【発明の詳細な説明】
【０００１】
【発明の属する技術分野】
本発明は、ルームエアコン，パッケージエアコンなどのパラレルフロー型のヒートポンプ用室外熱交換器に関する。
【０００２】
【従来の技術】
平行に配された複数の扁平チューブとコルゲートフィンとが通風直角方向に交互に積層され、その扁平チューブのおのおのの両端が１対の中空ヘッダに連結されているパラレルフロー熱交換器については、凝縮器として使用される場合、即ちエアコンが冷房用として使用される場合を対象にしているため、着霜・除霜に対する考慮がなされていない。図３はヒートポンプ用室外熱交換器全体の斜視図であり、図４はその一部の拡大図である。平行に配された多数の扁平チューブ１の間にその扁平チューブに熱的に接続されたコルゲートフィン２が挟み込まれている。扁平チューブ１の通風方向奥行ＴＤとコルゲートフィン２の通風方向奥行ＦＤは同一で、両端は揃えられている。コルゲートフィン２には通風上流側と下流側で傾き方向を逆にしてはあるが、同形状のルーバ３が設けられている。
【０００３】
通風空気４はコルゲートフィン２の間に流入してルーバ３の隙間を流れながらコルゲートフィン２を通過するにつれて通風空気の有する冷熱（または温熱）を放出し、扁平チューブ１の中に設けられた多数の小孔５の中を流れる蒸発性媒体６に伝達する。小孔５の内面には小さな凹凸を設けて伝熱促進を図ることがある。蒸発性媒体６の流れ方向は、エアコンの冷房運転の場合、図４の図示Ｍと逆方向になり、暖房運転の場合図示のＭの方向となる。平行に配された扁平チューブ１の両端は上下の中空ヘッダ１１に繋がりこれが蒸発性媒体６の出入口を形成している。熱交換器の左右端には端板１２が取り付けられており、コルゲートフィン２を保護している（例えば、特許文献１参照）。
【０００４】
【特許文献１】
特公平３−４５３００号公報
【０００５】
【発明が解決しようとする課題】
しかしながら、前記従来の構成では、以下のような問題がある。
【０００６】
すなわち、エアコンが暖房運転をしている場合、室外熱交換器に送られる通風空気４は冷たく、その上扁平チューブ１が蒸発器として動作してコルゲートフィン２を介して通風空気４から凝縮の潜熱を奪うので、通風空気４はコルゲートフィン２の間を通過する間に更に次第に冷却される。このため空気が保有していた水蒸気は過飽和状態となり、扁平チューブ１やコルゲートフィン２の壁面温度が０℃以下の時は過飽和水蒸気が氷となってこれら壁面に着霜し、時間と共に生長して遂には通風路を閉塞するに至る。
【０００７】
このように、着霜がある程度以上進行すると、暖房性能が低下するため、冷媒を逆転させるなどして、除霜運転を行う。除霜運転に入ると、扁平チューブやコルゲートフィン表面の霜が溶けて、コルゲートフィンに設けられたルーバを介して、下方向に流れ落ちる。
【０００８】
しかしながら、前記従来の構成では、コルゲートフィンにルーバが設けられているために、ルーバ前縁で霜が成長し、ルーバのないフィンに比べて急速な着霜の進行と暖房性能の低下を招くという欠点があった。ただし、ルーバがないと、結露水が流れ落ちないため、ルーバをなくすこともできなかった。
【０００９】
本発明の目的は、暖房時、除霜時にフィン面上に残る水を確実に熱交換器外に排出し、なおかつ、急速な着霜の進行のないパラレルフロー型のヒートポンプ用室外熱交換器を提供することにある。
【００１０】
【課題を解決するための手段】
この目的を達成するために、平行に配された複数の扁平チューブとコルゲートフィンとが通風直角方向に交互に積層されてなるパラレルフロー型のヒートポンプ用室外熱交換器において、前記コルゲートフィンの波型の谷線と稜線を熱交換器奥行き方向に、熱交換器奥行き方向中央部を底とする谷型形状として、その谷底部分でかつ前記コルゲートフィンの扁平チューブとの接合部に、貫通穴を設ける。
【００１１】
本構成によって、暖房時、除霜時にフィン面上に残る水を確実に熱交換器外に排出し、なおかつ、急速な着霜の進行のないパラレルフロー型のヒートポンプ用室外熱交換器を提供する。
【００１２】
【発明の実施の形態】
以下、本発明の実施の形態について、図面を参照しながら説明する。
【００１３】
（実施の形態１）
図１、３は本発明の実施の形態１を示す、部分斜視図と全体斜視図である。
【００１４】
ヒートポンプ用室外熱交換器では、平行に配された多数の扁平チューブ１の間にその扁平チューブに熱的に接続されたコルゲートフィン２が挟み込まれている。各扁平チューブ１は垂直方向に立てられ、扁平チューブ１の通風方向奥行ＴＤとコルゲートフィン２の通風方向奥行ＦＤは同一で、両端は揃えられている。コルゲートフィン２の波型の谷線と稜線を熱交換器奥行き方向に、熱交換器奥行き方向中央部を底とする谷型形状としている。
【００１５】
また、その谷底部分でかつコルゲートフィン２の扁平チューブ１との接合部に、貫通穴１３を設けている。貫通穴１３は、コルゲートフィン２の扁平チューブ１との接合線を直径とする略半円形状をしている。
【００１６】
平行に配された扁平チューブ１の両端は上下の中空ヘッダ１１に繋がりこれが蒸発性媒体６の出入口を形成している。熱交換器の左右端には端板１２が取り付けられており、コルゲートフィン２を保護している。
【００１７】
通風空気４はコルゲートフィン２を通り抜ける間に通風空気の有する温熱（または冷熱）を効率良く伝達して扁平チューブ１の中に設けられた多数の小孔５の中を流れる蒸発性媒体６を加熱（または冷却）する。小孔５の内面には小さな凹凸を設けて伝熱促進を図っている。蒸発性媒体６はエアコンの暖房運転の場合加熱されて蒸発し図１の図示Ｍの方向に流れる。
【００１８】
エアコン暖房運転では、熱交換器に露が付くが、コルゲートフィン２上に付いた結露水は、コルゲートフィン２の扁平チューブ１との接合部に設けた貫通穴１３を通過して、順次下方に流れ落ちる。
【００１９】
本実施例では、コルゲートフィン２の波型の谷線と稜線を熱交換器奥行き方向に、熱交換器奥行き方向中央部を底とする谷型形状として、その谷底部分でかつコルゲートフィン２の扁平チューブ１との接合部に貫通穴１３を設けているため、熱交換器奥行き方向中央部から遠く離れたフィン風上端あるいは風下端に結露した水も、フィン傾斜に沿って確実に熱交換器奥行き方向中央部に向かって流れ、確実に貫通穴１３に誘い込むことができる。
【００２０】
着霜発生条件下のエアコン暖房運転では、熱交換器の特にコルゲートフィン２に霜が付き、風の通路が狭くなる結果、通風抵抗が上昇して、送風機の風量が低下し、熱交換器の能力、温度が低下して、さらに霜が成長するという悪循環を繰り返して、ついには風の通路がほとんど閉塞する。このような状況下では、暖房能力も大幅に低下する。
【００２１】
通常、この種の熱交換器のコルゲートフィン２には、図４に示すようにルーバ３が設けられているが、ルーバ３があると、ルーバ前縁にも霜が厚く成長するため、前述の風の通路が狭くなる時間が大幅に短くなり、短時間で暖房能力が大幅に低下して、除霜運転に入り暖房感を損ねる。
【００２２】
しかし、本実施例では着霜を促進して暖房感を損ねるルーバ３がなくても、前述のように、貫通穴１３を通して結露水を流すことが可能であり、除霜運転時も、霜の融解水は貫通穴１３を通過して、チューブに沿って流れ落ち、熱交換器外に排出されるため、氷結の恐れがない。
【００２３】
（実施の形態２）
図２は本発明の実施の形態２を示す、部分斜視図である。図２において、図１と同じ構成要素については同じ符号を用い、説明を省略する。
【００２４】
図２において、コルゲートフィン２上の各場所から貫通穴１３に向かって伸びる誘導溝１４を設けた。
【００２５】
かかる構成によれば、通常暖房運転時や着霜発生条件下の除霜運転時、フィン表面の水は、コルゲートフィン２上の誘導溝１４に誘導されて、より確実に貫通穴１３まで誘導され、チューブに沿って流れ落ち、熱交換器外に排出されるため、氷結の恐れ等がない。
【００２６】
なお、上記各実施例では扁平チューブ１の通風方向奥行ＴＤとコルゲートフィン２の通風方向奥行ＦＤは同一で、両端は揃えられているとしているが、扁平チューブ１の通風方向奥行ＴＤがコルゲートフィン２の通風方向奥行ＦＤより大きくても、小さくてもかまわないし、双方の位置が通風方向にずれていても本発明の効果が損なわれることはない。
【００２７】
なお、上記各実施の形態では扁平チューブを用いているため、管の肉厚が同等でも、管径が小さいため、耐圧が大きくなり、特に圧力の高い二酸化炭素冷媒を用いる時に、上記各実施の形態の熱交換器が有効である。
【００２８】
また、扁平チューブの管内容積が小さいため、冷媒量を減らすことができ、可燃性冷媒であるＨＣ冷媒等を用いる時、上記各実施の形態の熱交換器が有効である。
【００２９】
【発明の効果】
以上のように本発明のパラレルフロー型のヒートポンプ用室外熱交換器によれば、前記コルゲートフィンの波型の谷線と稜線を熱交換器奥行き方向に、熱交換器奥行き方向中央部を底とする谷型形状として、その谷底部分でかつ前記コルゲートフィンの扁平チューブとの接合部に、貫通穴を設けたことにより、暖房時、除霜時にフィン面上に残る水を確実に熱交換器外に排出し、なおかつ、急速な着霜の進行のないヒートポンプ用室外熱交換器を提供できる。
【図面の簡単な説明】
【図１】本発明の実施の形態１におけるヒートポンプ用室外熱交換器の部分斜視図
【図２】本発明の実施の形態２におけるヒートポンプ用室外熱交換器の部分斜視図
【図３】本発明及び従来のパラレルフロー型のヒートポンプ用室外熱交換器の全体斜視図
【図４】従来のパラレルフロー型のヒートポンプ用室外熱交換器の部分斜視図
【符号の説明】
１  扁平チューブ
２  コルゲートフィン
３  ルーバ
４  通風空気
５  扁平チューブ内小孔
６  蒸発性媒体
１１  中空ヘッダ
１２  端版
１３  貫通穴
１４  誘導溝
【図１】
2005024187.tif 000003
【図２】
2005024187.tif 000004
【図３】
2005024187.tif 000005
【図４】
2005024187.tif 000006